(57)【要約】【課題】メモリカードの飛び出しをより確実に防止できるカード用コネクタを提供すること。【解決手段】メモリカード５０を収容するための収容部を備えたハウジング１０と、メモリカード５０の挿入排出方向にメモリカード５０と共にスライドするスライド部材１２０、及び、スライド部材１２０を排出方向に付勢する第一付勢部材１２２、１２４を用い、操作者による排出操作に応じてその収容部に挿入されたメモリカード５０を排出する排出機構１２とを有するカード用コネクタ１は、その収容部に収容されたメモリカード５０の排出側端を押さえ付けながらスライド部材１２０と共にスライドする飛び出し防止部材１３０を備える。【選択図】図１
2010021077.tif 000002
【特許請求の範囲】
【請求項１】
メモリカードを収容するための収容部を備えたハウジングと、前記メモリカードの挿入排出方向に前記メモリカードと共にスライドするスライド部材、及び、前記スライド部材を排出方向に付勢する第一付勢部材を用い、操作者による排出操作に応じて前記収容部に挿入された前記メモリカードを排出する排出機構とを有するメモリカード用コネクタにおいて、
前記収容部に収容された前記メモリカードの排出側端を押さえながら前記スライド部材と共にスライドする飛び出し防止部材を備える、
ことを特徴とするメモリカード用コネクタ。
【請求項２】
前記飛び出し防止部材は、前記メモリカードの排出側にあるコーナーの少なくとも一つを押さえながら前記スライド部材と共にスライドする、
ことを特徴とする請求項１に記載のメモリカード用コネクタ。
【請求項３】
前記飛び出し防止部材は、可撓性であり、前記メモリカードの前記収容部への挿入を許容するように撓み、前記メモリカードが前記収容部に収容されたときに、前記メモリカードの排出側端を押さえる、
ことを特徴とする請求項１又は２に記載のメモリカード用コネクタ。
【請求項４】
前記飛び出し防止部材は、一端が前記スライド部材に旋回可能に取り付けられ、前記メモリカードの前記収容部への挿入を許容するように旋回し、前記メモリカードが前記収容部に収容されたときに、他端で前記メモリカードの排出側端を押さえる、
ことを特徴とする請求項１又は２に記載のメモリカード用コネクタ。
【請求項５】
前記飛び出し防止部材は、前記メモリカードの前記収容部への挿入を許容するように旋回した場合に、第二付勢部材によって前記他端が前記メモリカードの排出側端を押さえる位置に復帰するように付勢される、
ことを特徴とする請求項４に記載のメモリカード用コネクタ。
【請求項６】
前記飛び出し防止部材は、前記ハウジングの側壁、又は、前記ハウジングを覆うカバーの側壁をガイドとして用いながらスライドする、
ことを特徴とする請求項１乃至５の何れか一項に記載のメモリカード用コネクタ。
【発明の詳細な説明】
【技術分野】
【０００１】
本発明は、メモリカード用コネクタに関し、特に、メモリカードをハウジングから排出させる際のメモリカードの飛び出しを防止する機構を備えたメモリカード用コネクタに関する。
【背景技術】
【０００２】
従来、携帯電話やデジタルカメラ等の小型電子機器は、外部記録媒体として利用されるメモリカードを収容部内に挿抜可能に受け入れるスライド部材と、操作者の所定の操作に応じてそのスライド部材をスプリングによって排出側に押し出すことでその挿入されたメモリカードを容易に排出させるいわゆるプッシュプッシュ式の排出機構とを有するカード用コネクタを備えている。
【０００３】
また、その排出機構によるメモリカードの排出の際におけるメモリカードの飛び出しを防止するための種々の機構も提案されており、例えば、メモリカードの側面に設けられた凹部と係合するスライド部材上の係合部をそのメモリカードに向かって横方向から押し付けるスライド付勢部材を備えたカード用コネクタ（例えば、特許文献１参照。）や、そのメモリカードの凹部に向かってその係合部を横方向から押し付けると同時にそのメモリカードの挿入方向へも力が加わるようにするスライド付勢部材を備えたカード用コネクタが知られている（例えば、特許文献２参照。）。
【０００４】
また、メモリカードが収容部に挿入された状態ではそのメモリカードの排出方向へのスライドを禁止しながらも、そのメモリカードが排出される際にはそのメモリカードを横方向に押さえつける力のみを与える係合部を用いて、排出機構によるメモリカードの正常な排出を妨げることなくメモリカードが収容部に挿入された状態でのメモリカードの飛び出しを防止するカード用コネクタが知られている（例えば、特許文献３参照。）。
【０００５】
更には、スライド部材をカードの挿入方向へ付勢する第一コイルばねと、スライド部材をカードの排出方向へ付勢する第二コイルばねとを備え、排出機構によって排出されるスライド部材のスライド速度を徐々に低減させることで慣性力によるメモリカードの飛び出しを防止する機構を備えたカード用コネクタも知られている（例えば、特許文献４参照。）。
【特許文献１】特開２００５−２０９５７４号公報
【特許文献２】特開２００８−４７４６９号公報
【特許文献３】特開２００２−３１９４５１号公報
【特許文献４】特開２００７−２００８１５号公報
【発明の開示】
【発明が解決しようとする課題】
【０００６】
しかしながら、特許文献１〜４のカード用コネクタは何れも、メモリカードの側面に設けられた凹部と係合するスライド部材上の係合部を用いてメモリカードの飛び出しを防止しているだけであり、その飛び出しを防止する効果にも限界がある。
【０００７】
上述の点に鑑み、本発明は、メモリカードの飛び出しをより確実に防止できるカード用コネクタを提供することを目的とする。
【課題を解決するための手段】
【０００８】
上述の目的を達成するために、第一の発明に係るカード用コネクタは、メモリカードを収容するための収容部を備えたハウジングと、前記メモリカードの挿入排出方向に前記メモリカードと共にスライドするスライド部材、及び、前記スライド部材を排出方向に付勢する第一付勢部材を用い、操作者による排出操作に応じて前記収容部に挿入された前記メモリカードを排出する排出機構とを有するメモリカード用コネクタにおいて、前記収容部に収容された前記メモリカードの排出側端を押さえ付けながら前記スライド部材と共にスライドする飛び出し防止部材を備えることを特徴とする。
【０００９】
また、第二の発明は、第一の発明に係るメモリカード用コネクタであって、前記飛び出し防止部材は、前記メモリカードの排出側にあるコーナーの少なくとも一つを押さえ付けながら前記スライド部材と共にスライドすることを特徴とする。
【００１０】
また、第三の発明は、第一又は第二の発明に係るメモリカード用コネクタであって、前記飛び出し防止部材は、可撓性であり、前記メモリカードの前記収容部への挿入を許容するように撓み、前記メモリカードが前記収容部に収容されたときに、前記メモリカードの排出側端を押さえることを特徴とする。
【００１１】
また、第四の発明は、第一又は第二の発明に係るメモリカード用コネクタであって、前記飛び出し防止部材は、一端が前記スライド部材に旋回可能に取り付けられ、前記メモリカードの前記収容部への挿入を許容するように旋回し、前記メモリカードが前記収容部に収容されたときに、他端で前記メモリカードの排出側端を押さえることを特徴とする。
【００１２】
また、第五の発明は第四の発明に係るメモリカード用コネクタであって、前記飛び出し防止部材は、前記メモリカードの前記収容部への挿入を許容するように旋回した場合に、第二付勢部材によって前記他端が前記メモリカードの排出側端を押さえる位置に復帰するように付勢されることを特徴とする。
【００１３】
また、第六の発明は、第一乃至第五の何れかの発明に係るメモリカード用コネクタであって、前記飛び出し防止部材は、前記ハウジングの側壁、又は、前記ハウジングを覆うカバーの側壁をガイドとして用いながらスライドすることを特徴とする。
【発明の効果】
【００１４】
上述の手段により、本発明は、メモリカードの飛び出しをより確実に防止できるカード用コネクタを提供することができる。
【発明を実施するための最良の形態】
【００１５】
以下、図面を参照しつつ、本発明を実施するための最良の形態の説明を行う。
【実施例１】
【００１６】
図１は、本発明の実施例であるカード用コネクタ１の構成例を示す斜視図であり、カード用コネクタ１は、メモリカード５０を収容するハウジング１０、及び、ハウジング１０の内部に組み込まれたイジェクト機構１２を有する。なお、メモリカード５０は、携帯電話等のモバイル電子機器で用いられるメモリカードであって、例えば、メモリースティック（登録商標）、ｍｉｎｉＳＤカード（登録商標）、ｍｉｃｒｏＳＤカード（登録商標）等がある。
【００１７】
ハウジング１０は、例えば、絶縁性の合成樹脂で形成され、左側壁１００、右側壁１０２、及び、奥壁１０４を有し、その内部にメモリカード５０を収容するための収容空間を形成し、また、メモリカード５０がその収容空間に挿入されたときにメモリカード５０の底面にある接点パッド（図示せず。）と接触させて情報をやり取りするためのコネクタ端子１０８（図４（Ａ）参照。）をその内部の底面に備える。
【００１８】
イジェクト機構１２は、いわゆるプッシュプッシュ方式を採用する機構であり、例えば、メモリカード５０と共に収容空間内をメモリカード５０の挿入排出方向にスライド可能なスライド部材１２０と、スライド部材１２０をメモリカード５０の排出方向に付勢する排出スプリング１２２、１２４と、一端がハウジング１０の右側壁１０２の排出側端に取り付けられ、かつ、他端がスライド部材１２０のハート型カム溝１２６にかみ合わされるロッド１２８（図２及び図３参照。）とを有する。
【００１９】
また、イジェクト機構１２は、既に挿入されているメモリカード５０が誤ってハウジング１０から抜け落ちてしまうのを防止するための脱落防止機構１２９を有する。
【００２０】
脱落防止機構１２９は、例えば、金属材料の薄板で形成され、係合部１２９ａ、ばね部１２９ｂ及び基部１２９ｃを備え、メモリカード５０がハウジング１０に挿入されメモリカード５０の側部が係合部１２９ａに接触すると、基部１２９ｃを支点としてばね部１２９ｂがハウジング１０の右側壁１０２の方に撓み、更に、メモリカード５０がスライド部材１２０内に完全に挿入されると、ばね部１２９ｂが元の状態に復帰してメモリカード５０の側部に設けられた凹部５２（図４（Ａ）参照。）と係合部１２９ａとをかみ合わせ、このかみ合わせによりメモリカード５０の抜け落ちを防止する。
【００２１】
更に、イジェクト機構１２は、既に挿入されているメモリカード５０をイジェクト機構１２によって排出する際に、メモリカード５０が誤ってハウジング１０から飛び出してしまうのを防止するための飛び出し防止機構１３０を有する。
【００２２】
飛び出し防止機構１３０は、スライド部材１２０と共にスライドしながらメモリカード５０が飛び出そうとするときにメモリカード５０の排出側の端面を押さえ付けてその飛び出しを防止する機構であり、例えば、可撓性材料で形成され、メモリカード５０の挿入排出方向にメモリカード５０に沿って延在する棒体部１３１と、棒体部１３１の排出側端にカード保持部１３０ａとを備え、棒体部１３１の一面をハウジング１０の左側壁１００に隣接させながらハウジング１０の収容空間内をスライド部材１２０と共にスライドする。
【００２３】
なお、飛び出し防止機構１３０は、メモリカード５０の一方の側面全体に亘って棒体部１３１とメモリカード５０とを接触させるが、棒体部１３１とメモリカード５０の側面とを接触させることなく、カード保持部１３０ａのところだけでメモリカード５０の排出側端（例えば、コーナー部である。）を保持するようにしてもよい。
【００２４】
カード保持部１３０ａは、メモリカード５０をその排出側端から挿入方向に向かって押さえることで、スライド部材１２０と共にスライドするメモリカード５０がその慣性力によって排出側に飛び出してしまうのを防止する。
【００２５】
排出スプリング１２２、１２４の付勢力によってスライド部材１２０がメモリカード５０の排出方向にスライドされ、排出スプリング１２２、１２４が延びきってスライド部材１２０の排出方向へのスライドが停止した場合に、排出方向への慣性力によってメモリカード５０が脱落防止機構１２９による脱落抑止力を超えて飛び出してしまう場合があるからである。
【００２６】
なお、カード用コネクタ１は、脱落防止機構１２９を備えることなく、飛び出し防止機構１３０のみを備えるようにしてもよい。飛び出し防止機構１３０は、イジェクト機構１２によるメモリカード５０の排出の際の飛び出しを防止する機能に加えて、脱落防止機構１２９による、メモリカード５０をハウジング１０内に収容している際のメモリカード５０の抜け落ちを防止する機能を提供することができるからである。これは、メモリースティック（登録商標）等、その側面に凹部を持たないメモリカードに有効である。
【００２７】
図２は、ロッド１２８の側面図であり、ロッド１２８は、両端に垂下する脚部を備え、一方の脚部をハウジング１０の右側壁１０２の排出側端に枢動可能に取り付けながら、他方の脚部をハート型カム溝１２６に沿って摺動させる。
【００２８】
また、図３は、ハート型カム溝１２６とロッド１２８との係合関係を概略的に示し、図３（Ａ）は、メモリカード５０をカード用コネクタ１に収容するために操作者がメモリカード５０をハウジング１０の最奥部まで押し込んだときのハート型カム溝１２６とロッド１２８との間の一時的な係合状態を示し、図３（Ｂ）は、メモリカード５０をハウジング１０の最奥部まで押し込んだ後、操作者がメモリカード５０から手を離したときのハート型カム溝１２６とロッド１２８との間の安定的な係合状態（メモリカード５０の挿入操作が完了した後の状態である。）を示す。
【００２９】
また、図３（Ｃ）は、メモリカード５０をカード用コネクタ１から取り出すために操作者がメモリカード５０を再びハウジング１０の最奥部まで押し込んだときのハート型カム溝１２６とロッド１２８との間の一時的な係合状態を示し、図３（Ｄ）は、メモリカード５０を再びハウジング１０の最奥部まで押し込んだ後、操作者がメモリカード５０から手を離したときのハート型カム溝１２６とロッド１２８との間の安定的な係合状態（メモリカード５０の排出操作が完了した後の状態である。）を示す。
【００３０】
次に、図４を参照しながら、カード用コネクタ１へのメモリカード５０の挿入について説明する。
【００３１】
図４（Ａ）は、メモリカード５０をカード用コネクタ１に収容するために操作者がメモリカード５０のスライド部材１２０への挿入を開始したときの状態を示し、飛び出し防止機構１３０のカード保持部１３０ａがメモリカード５０を収容空間内に受け入れるために外側（図の左側）に撓んだ状態を示す。なお、ハート型カム溝１２６とロッド１２８との係合関係は、図３（Ｄ）の状態となっている。
【００３２】
また、図４（Ｂ）は、操作者がメモリカード５０をスライド部材１２０内に完全に挿入したときの状態を示し、カード保持部１３０ａが撓んだ状態から元の状態に復帰してメモリカード５０の排出側端のコーナーの一つ（図の左下隅のコーナー）を保持した状態を示す。なお、ハート型カム溝１２６とロッド１２８との係合関係は、図３（Ｄ）の状態のままとなっている。
【００３３】
また、図４（Ｃ）は、操作者がスライド部材１２０内に完全に挿入されたメモリカード５０をスライド部材１２０と共にハウジング１０の最奥部まで押し込んだときの状態を示し、メモリカード５０の側部に設けられた凹部５２と係合部１２９ａとが係合された状態を示す。なお、ハート型カム溝１２６とロッド１２８との係合関係は、図３（Ａ）の状態となっている。
【００３４】
また、図４（Ｄ）は、メモリカード５０をスライド部材１２０と共にハウジング１０の最奥部まで押し込んだ後、操作者がメモリカード５０から手を離したときの状態（メモリカード５０の挿入操作が完了した後の状態である。）を示し、排出スプリング１２２、１２４によってメモリカード５０がスライド部材１２０と共に僅かに排出方向に押し戻された後、ハート型カム溝１２６とロッド１２８との係合によりメモリカード５０が所定位置に静止した状態を示す。なお、ハート型カム溝１２６とロッド１２８との係合関係は、図３（Ｂ）の状態となっている。
【００３５】
次に、図５を参照しながら、カード用コネクタ１からのメモリカード５０の排出について説明する。
【００３６】
図５（Ａ）は、メモリカード５０をカード用コネクタ１から排出するために操作者が再びメモリカード５０をハウジング１０の最奥部まで押し込んだときの状態を示し、図３（Ｂ）の状態にあったハート型カム溝１２６とロッド１２８との間の安定的な係合関係が解除されて図３（Ｃ）の状態に移行したときの状態を示す。
【００３７】
また、図５（Ｂ）は、その後、操作者がメモリカード５０から手を離した後の状態を示し、メモリカード５０が排出スプリング１２２、１２４によってスライド部材１２０と共に排出方向にスライドされ、図３（Ｃ）の状態にあったハート型カム溝１２６とロッド１２８との係合関係が図３（Ｄ）に示す別の安定的な係合関係に移行したときの状態（メモリカード５０の排出操作が完了した後の状態である。）を示す。
【００３８】
このとき、メモリカード５０は、排出方向にスライドされたスライド部材１２０がストッパ（図示せず。）や排出スプリング１２２、１２４の収縮力により所定位置で急停止させられた場合であっても、飛び出し防止機構１３０のカード保持部１３０ａによってその飛び出しが防止される。
【００３９】
また、図５（Ｃ）は、操作者がメモリカード５０をカード用コネクタ１から手動で抜き取るときの状態を示し、操作者の指によってカード保持部１３０ａが外側（図の左側）に押し曲げられた後の状態を示す。
【００４０】
次に、図６を参照しながら、飛び出し防止機構の別の実施例１３０Ｍについて説明する。なお、図６（Ａ）は、飛び出し防止機構１３０Ｍの上面図であり、図６（Ｂ）は、飛び出し防止機構１３０Ｍの側面図である。
【００４１】
飛び出し防止機構１３０Ｍは、スライド部材１２０の一部である基部１３４に連結ピン１３２を旋回軸として外側（図中の矢印ＡＲで示す方向）に旋回可能に取り付けられている点で、スライド部材１２０と一体的に形成された図１の飛び出し防止機構１３０と相違するが、その他の点で飛び出し防止機構１３０と共通する。従って、共通の構成要素に対して同じ参照符号が用いられるものとする。
【００４２】
飛び出し防止機構１３０Ｍは、メモリカード５０をスライド部材１２０内に挿入する場合、或いは、スライド部材１２０内に挿入されているメモリカード５０を抜き取る場合に、操作者の指によって外側に旋回させられる（連結ピン１３２を旋回軸として時計回りに旋回させられる。旋回されられた後の飛び出し防止機構１３０Ｍを点線で示す。なお、飛び出し防止機構１３０Ｍは、旋回位置のそれぞれで静止するよう構成されている。）。
【００４３】
そのため、飛び出し防止機構１３０Ｍは、可撓性を有さない剛体（例えば、金属であり、この場合、外力に対する強度を増大させることができる。）で形成されていてもよい。撓みを生じさせることなく、メモリカード５０をスライド部材１２０内に挿入させたり、メモリカード５０をスライド部材１２０内から抜き取らせたりすることができるからである。
【００４４】
一方で、飛び出し防止機構１３０Ｍは、図示するような連結部の形状により、図６に示す状態からの更なる内側への旋回（連結ピン１３２を旋回軸とした反時計回りへの旋回）が禁止される。スライド部材１２０内にメモリカード５０を挿入する際に飛び出し防止機構１３０Ｍとメモリカード５０とが干渉してしまうのを防止するためである。
【００４５】
また、飛び出し防止機構１３０Ｍは、操作者の指によって外側に旋回させられた後、操作者が指を離した場合に図６に示す状態に復帰するよう、コイルスプリングやトーションばね等の付勢手段を介してスライド部材１２０の基部１３４に連結されていてもよい。
【００４６】
また、図７は、メモリカード５０をスライド部材１２０と共にハウジング１０内に挿入する場合における飛び出し防止機構１３０Ｍの動きを説明するための図であり、時間の経過と共に、図７（Ａ）の状態から図７（Ｄ）の状態に至ることを示す。この場合、飛び出し防止機構１３０Ｍとスライド部材１２０との間にはトーションばねが介在しておらず、飛び出し防止機構１３０Ｍは、操作者の指によって旋回させられたときのその旋回位置にそのまま留まるものとする。
【００４７】
図７（Ａ）〜（Ｄ）に示すように、ハウジング１０の左側壁１００に沿ってスライド部材１２０（基部１３４）がメモリカード５０の挿入方向にスライドすると、外側に旋回させられた状態にある飛び出し防止機構１３０Ｍの背面ＢＦがハウジング１０の左側壁１００における面取りされた端部ＲＦに接触し、飛び出し防止機構１３０Ｍは、そのカード保持部１３０Ｍａがメモリカード５０の左下のコーナーを押さえつける状態となるまで、反時計回りに旋回させられる。
【００４８】
このように、カード用コネクタ１は、イジェクト機構１２によってメモリカード５０が排出方向に押し出される場合に、飛び出し防止機構１３０、１３０Ｍによってメモリカード５０の排出側端を押さえることで、慣性力によりメモリカード５０がスライド部材１２０から飛び出してしまうのを防止することができる。
【００４９】
また、カード用コネクタ１は、操作者がメモリカード５０をスライド部材１２０に挿入する場合に、飛び出し防止機構１３０、１３０Ｍを外側に撓ませ、或いは、旋回させるので、メモリカード５０のハウジング１０への挿入を妨げることもない。
【００５０】
なお、上述の飛び出し防止機構１３０、１３０Ｍは何れも、メモリカード５０の側方に撓み、或いは、旋回し、メモリカード５０の側面からメモリカード５０の排出側端を掴むように構成されるが、メモリカード５０の下方に撓み、或いは、旋回し、メモリカード５０の底面からメモリカード５０の排出側端を掴むように構成されてもよい。
【実施例２】
【００５１】
図８は、本発明の別の実施例であるカード用コネクタ１Ｓの構成例を示し、図８（Ａ）がその斜視図を示し、図８（Ｂ）がその側面図を示す。
【００５２】
また、図９は、図８（Ｂ）のＩＸ−ＩＸ線断面図を示し、図１０は、図８（Ｂ）のＸ−Ｘ線断面図を示し、図１１は、図８（Ｂ）のＸＩ−ＸＩ線断面図を示す。
【００５３】
カード用コネクタ１Ｓは、上部カバー１４Ｓの側壁１４０Ｓが飛び出し防止機構１３０Ｓのガイドを構成し、ハウジング１０Ｓが左側壁を持たない点で、第一実施例におけるカード用コネクタ１と相違するが、その他の点でカード用コネクタ１と共通する。
【００５４】
上部カバー１４Ｓは、例えば、金属で形成されており、図９に示すように、側壁１４０Ｓの一部が内側に曲げられ飛び出し防止機構１３０Ｓの側面に設けられた凹部１３６Ｓに嵌め込み可能とされる。なお、凹部１３６Ｓは、飛び出し防止機構１３０Ｓを横方向に貫通していてもよい。
【００５５】
また、上部カバー１４Ｓは、図１０に示すように、側面の一部において側壁１４０Ｓを欠損し、側壁１４０Ｓの更に別の一部は、図１１に示すように、ハウジング１０Ｓの底面１０５Ｓに圧入されている。
【００５６】
以上の構成により、カード用コネクタ１Ｓは、飛び出し防止機構１３０Ｓが配置される側におけるハウジング１０Ｓの側壁を省略しながら、飛び出し防止機構１３０Ｓをスライドさせる際のガイドとして上部カバー１４Ｓの側壁１４０Ｓを用いるので、カード用コネクタ１Ｓの幅をハウジング１０Ｓの側壁の幅だけ減少させることができる。
【実施例３】
【００５７】
図１２は、本発明の更に別の実施例であるカード用コネクタ１Ｔの構成例を示し、図１２（Ａ）がカード用コネクタ１Ｔの斜視図を示し、図１２（Ｂ）がカード用コネクタ１Ｔの部分上面図を示し、図１２（Ｃ）がカード用コネクタ１Ｔの側面図を示す。
【００５８】
また、図１３は、図１２（Ｃ）のＸＩＩＩ−ＸＩＩＩ線断面図を示し、図１４は、図１２（Ｃ）のＸＩＶ−ＸＩＶ線断面図を示す。
【００５９】
カード用コネクタ１Ｔは、上部カバー１４Ｔの側壁１４０Ｔが飛び出し防止機構１３０Ｔのガイドを構成し、ハウジング１０Ｔが左側壁を持たない点で、第一実施例におけるカード用コネクタ１と相違し、また、飛び出し防止機構１３０Ｔの上下方向を貫通する貫通部１３８Ｔを有する点で、第二実施例におけるカード用コネクタ１Ｓと相違するが、その他の点でカード用コネクタ１、１Ｓのそれぞれと共通する。
【００６０】
上部カバー１４Ｔは、例えば、金属で形成されており、図１３に示すように、側壁１４０Ｔの一部が飛び出し防止機構１３０Ｔを上下に貫通するように設けられた貫通部１３８Ｔに嵌め込まれている。
【００６１】
また、上部カバー１４Ｔの側壁１４０Ｔは、図１３に示すように、一部においてハウジング１０Ｔの底面１０５Ｔに圧入されており、また、図１４に示すように、別の一部において欠損している。
【００６２】
以上の構成により、カード用コネクタ１Ｔは、カード用コネクタ１Ｓと同様、飛び出し防止機構１３０Ｔが配置される側におけるハウジング１０Ｔの側壁を省略しながら、飛び出し防止機構１３０Ｔをスライドさせる際のガイドとして上部カバー１４Ｔの側壁１４０Ｔを用いるので、カード用コネクタ１Ｔの幅をハウジング１０Ｔの側壁の幅だけ減少させることができる。
【００６３】
以上、本発明の好ましい実施例について詳説したが、本発明は、上述した実施例に制限されることはなく、本発明の範囲を逸脱することなしに上述した実施例に種々の変形及び置換を加えることができる。
【００６４】
例えば、上述の実施例において、飛び出し防止機構は何れも、脱落防止機構の反対側（例えば、ハウジングの左側壁側である。）に配置されているが、脱落防止機構の側（例えば、ハウジングの右側壁側である。）に配置されてもよい。
【図面の簡単な説明】
【００６５】
【図１】本発明の第一実施例であるカード用コネクタの構成例を示す斜視図である。
【図２】ロッドの側面図である。
【図３】ハート型カム溝とロッドとの係合関係を示す図である。
【図４】カード用コネクタへのメモリカードの挿入について説明するための図である。
【図５】カード用コネクタからのメモリカードの排出について説明するための図である。
【図６】飛び出し防止機構の別の実施例を示す図である。
【図７】メモリカードをハウジングに挿入する場合における図６の飛び出し防止機構の動きを説明するための図である。
【図８】本発明の第二実施例であるカード用コネクタの構成例を示す図であり、（Ａ）が斜視図、（Ｂ）が側面図を示す。
【図９】図８（Ｂ）の線ＩＸ−ＩＸにおける断面図である。
【図１０】図８（Ｂ）の線Ｘ−Ｘにおける断面図である。
【図１１】図８（Ｂ）の線ＸＩ−ＸＩにおける断面図である。
【図１２】本発明の第三実施例であるカード用コネクタの構成例を示す図であり、（Ａ）が斜視図、（Ｂ）が上面図、（Ｃ）が側面図を示す。
【図１３】図１２（Ｃ）の線ＸＩＩＩ−ＸＩＩＩにおける断面図である。
【図１４】図１２（Ｃ）の線ＸＩＶ−ＸＩＶにおける断面図である。
【符号の説明】
【００６６】
１、１Ｓ、１Ｔ  カード用コネクタ
１０、１０Ｓ、１０Ｔ      ハウジング
１００    ハウジング左側壁
１０２    ハウジング右側壁
１０４    ハウジング奥壁
１０５Ｓ、１０５Ｔ  ハウジング底面
１２      イジェクト機構
１２０    スライド部材
１２２、１２４  排出スプリング
１２６    ハート型カム溝
１２８    ロッド
１２９    脱落防止機構
１２９ａ  係合部
１２９ｂ  ばね部
１２９ｃ  基部
１３０、１３０Ｍ、１３０Ｓ、１３０Ｔ  飛び出し防止機構
１３０ａ、１３０Ｍａ  カード保持部
１３２    連結ピン
１３４    基部
１３６Ｓ  凹部
１３８Ｔ  貫通部
１４Ｓ、１４Ｔ  上部カバー
１４０Ｓ、１４０Ｔ  上部カバー側壁
【図１】
2010021077.tif 000003
【図２】
2010021077.tif 000004
【図３】
2010021077.tif 000005
【図４】
2010021077.tif 000006
【図５】
2010021077.tif 000007
【図６】
2010021077.tif 000008
【図７】
2010021077.tif 000009
【図８】
2010021077.tif 000010
【図９】
2010021077.tif 000011
【図１０】
2010021077.tif 000012
【図１１】
2010021077.tif 000013
【図１２】
2010021077.tif 000014
【図１３】
2010021077.tif 000015
【図１４】
2010021077.tif 000016